(57)【要約】【課題】映写環境に影響されず、鮮明な画像を得ることが可能となる投影用スクリーンおよびその製造方法を提供する。【解決手段】スクリーン表面の光拡散層１３の上に反射防止層１４を設ける。反射防止層１４は、プロジェクタ装置の光源から投影光として出射される各色のレーザ光の波長を含む、４５０ｎｍ以上６５０ｎｍ以下の範囲内の波長領域の光に対しては反射率が０．５％以下という低反射特性を有する。スクリーンの表面に投影光以外の余分な光が入射しても反射防止層１４によって反射が抑制されるので、画像のコントラストが高められる。【選択図】　　　　図１
2004144883.tif 000002
【特許請求の範囲】
【請求項１】
三原色の光を含む投影光を受けて画像が投影される投影用スクリーンであって、
三原色の光を反射する三原色光反射層と、
この三原色光反射層で反射された光を拡散させる拡散層と、
この拡散層の表面に設けられた反射防止層と
を備えたことを特徴とする投影用スクリーン。
【請求項２】
前記三原色光反射層は黒色基板の上に形成されている
ことを特徴とする請求項１記載の投影用スクリーン。
【請求項３】
前記反射防止層は、三原色の光の波長を含む波長領域においては反射率が０．５％以下である
ことを特徴とする請求項１記載の投影用スクリーン。
【請求項４】
前記反射防止層は、高屈折率膜と、前記高屈折率膜より低い屈折率を有する低屈折率膜とが交互に積層された多層膜である
ことを特徴とする請求項１記載の投影用スクリーン。
【請求項５】
前記高屈折率膜は、Ｎｂ２　Ｏ５　、ＴｉＯ２　またはＴａ２　Ｏ５　からなる
ことを特徴とする請求項４記載の投影用スクリーン。
【請求項６】
前記低屈折率膜は、ＳｉＯ２　またはＭｇＦ２　からなる
ことを特徴とする請求項４記載の投影用スクリーン。
【請求項７】
前記反射防止層は、Ｎｂ２　Ｏ５　からなる第１高屈折率膜、ＳｉＯ２　からなる第１低屈折率膜、Ｎｂ２　Ｏ５　からなる第２高屈折率膜、および、ＳｉＯ２　からなる第２低屈折率膜がこの順に積層された構成を有する
ことを特徴とする請求項４記載の投影用スクリーン。
【請求項８】
三原色の光を含む投影光を受けて画像が投影される投影用スクリーンであって、
三原色の光を透過する三原色光透過層と、
この三原色光透過層を透過した光を拡散させる拡散層と、
この拡散層の表面に設けられた反射防止層と
を備えたことを特徴とする投影用スクリーン。
【請求項９】
前記三原色光透過層は透明基板の上に形成されている
ことを特徴とする請求項８記載の投影用スクリーン。
【請求項１０】
前記反射防止層は、前記三原色の光の波長を含む波長領域においては反射率が０．５％以下である
ことを特徴とする請求項８記載の投影用スクリーン。
【請求項１１】
前記反射防止層は、高屈折率膜と、前記高屈折率膜より低い屈折率を有する低屈折率膜とが交互に積層された多層膜である
ことを特徴とする請求項８記載の投影用スクリーン。
【請求項１２】
前記高屈折率膜は、Ｎｂ２　Ｏ５　、ＴｉＯ２　またはＴａ２　Ｏ５　からなる
ことを特徴とする請求項１１記載の投影用スクリーン。
【請求項１３】
前記低屈折率膜は、ＳｉＯ２　またはＭｇＦ２　からなる
ことを特徴とする請求項１１記載の投影用スクリーン。
【請求項１４】
前記反射防止層は、Ｎｂ２　Ｏ５　からなる第１高屈折率膜、ＳｉＯ２　からなる第１低屈折率膜、Ｎｂ２　Ｏ５　からなる第２高屈折率膜、および、ＳｉＯ２　からなる第２低屈折率膜がこの順に積層された構成を有する
ことを特徴とする請求項１１記載の投影用スクリーン。
【請求項１５】
三原色の光を含む投影光を受けて画像が投影される投影用スクリーンの製造方法であって、
基板の表面に、三原色の光を反射または透過する三原色光選別層を形成する工程と、
前記三原色光選別層の上に光拡散層を形成する工程と、
前記拡散層の上に反射防止層を形成する工程と
を含むことを特徴とする投影用スクリーンの製造方法。
【請求項１６】
前記反射防止層をスパッタリング法によって形成する
ことを特徴とする請求項１５記載の投影用スクリーンの製造方法。
【請求項１７】
前記反射防止層を蒸着法によって形成する
ことを特徴とする請求項１５記載の投影用スクリーンの製造方法。
【請求項１８】
前記反射防止層を塗布法によって形成する
ことを特徴とする請求項１５記載の投影用スクリーンの製造方法。
【請求項１９】
前記反射防止層を支持基材の上に形成し、前記支持基材を接着剤を介して前記基板に貼り付ける
ことを特徴とする請求項１５記載の投影用スクリーンの製造方法。
【請求項２０】
前記反射防止層は、三原色の光の波長を含む波長領域においては反射率が０．５％以下である
ことを特徴とする請求項１５記載の投影用スクリーンの製造方法。
【発明の詳細な説明】
【０００１】
【発明の属する技術分野】
本発明は、例えばプロジェクタ装置から入射される三原色の光を含む投影光を利用して画像が投影される投影用スクリーンおよびその製造方法に関する。
【０００２】
【従来の技術】
近年、会議等では発表者が資料を提示する手段としてオーバーヘッドプロジェクタやスライドプロジェクタが広く用いられ、一般家庭ではビデオプロジェクタや動画フィルムプロジェクタが普及しつつある。これらプロジェクタ装置では、光源から出力された光がライトバルブ（Ｌｉｇｈｔ　Ｖａｌｖｅ　）により空間的に変調されて画像光とされ、この画像光がレンズ等の照明光学系を通じて投影用スクリーン上に投影される。
【０００３】
この種のプロジェクタ装置にはカラー画像を表示させることができるものがあり、光源として光の三原色である赤色（Ｒｅｄ　＝Ｒ），緑色（Ｇｒｅｅｎ　＝Ｇ），青色（Ｂｌｕｅ＝Ｂ）を含んだ白色光を発するランプが用いられ、ライトバルブとしては透過型の液晶パネルが用いられている。このプロジェクタ装置では、光源から出射された白色光が、照明光学系によって赤色光、緑色光および青色光の各色の光線に分離され、これら光線が所定の光路に収束される。これらの光束が液晶パネルにより画像信号に応じて空間的に変調される。変調された光束が光合成部によってカラー画像光として合成され、この合成されたカラー画像光が投影レンズにより投影用スクリーンに拡大投射される。
【０００４】
また、最近、カラー画像を表示させることができるプロジェクタ装置として、光源に狭帯域三原色光源、例えば三原色の各色の狭帯域光を発するレーザ発振器を用い、ライトバルブに回折格子型のライトバルブ（ＧＬＶ：Ｇｒａｔｉｎｇ　Ｌｉｇｈｔ　Ｖａｌｖｅ　）を用いた装置が開発されている。このプロジェクタ装置では、レーザ発振器により出射された各色の光束が画像信号に応じてＧＬＶにより空間的に変調される。このように変調された光束は前述したプロジェクタ装置と同様に、光合成部によってカラー画像光として合成され、この合成されたカラー画像光が投影レンズにより投影用スクリーンに拡大投射される。
【０００５】
【発明が解決しようとする課題】
ところで、プロジェクタ装置に用いられる投影用スクリーンは、その裏面側から投影光を照射して表面側から見る透過方式と、表面側から投影光を照射しその反射した光を表面側から見る反射方式とに分けられる。これら方式の投影用スクリーンはその表面に拡散板を備えており、この拡散板によって投影光を散乱させることにより画像が形成され、広い視野角が得られている。
【０００６】
しかしながら、このような投影用スクリーンでは、投影光以外の余分な光、例えば照明器具の光や室外の光（外光）が表面側に入射したときに、表面に拡散板が設けられていることに起因して、これら余分な光が拡散板により反射され、画像に混入してしまうことから、コントラストが低下し、鮮明な画像を得ることができないという問題があった。
【０００７】
本発明はかかる問題点に鑑みてなされたもので、その目的は、投影光以外の余分な光の画像への混入を防止することにより画像のコントラストを高めて、映写環境に影響されず、鮮明な画像を得ることが可能となる投影用スクリーンおよびその製造方法を提供することにある。
【０００８】
【課題を解決するための手段】
本発明による第１の投影用スクリーンは、反射方式の投影用スクリーンであって、三原色の光を反射する三原色光反射層と、この三原色光反射層で反射された光を拡散させる拡散層と、この拡散層の表面に設けられた反射防止層とを備えたものである。
【０００９】
本発明による第２の投影用スクリーンは、透過方式の投影用スクリーンであって、三原色の光を透過する三原色光透過層と、この三原色光透過層で透過された光を拡散させる拡散層と、この拡散層の表面に設けられた反射防止層とを備えたものである。
【００１０】
本発明による投影用スクリーンの製造方法は、基板の表面に、三原色の光を反射または透過する三原色光選別層を形成する工程と、三原色光選別層の上に光拡散層を形成する工程と、拡散層の上に反射防止層を形成する工程とを含むものである。
【００１１】
本発明による投影用スクリーンまたはその製造方法では、拡散層の表面に反射防止層を設けるようにしたので、投影光以外の余分な光が入射したときに、この反射防止層によって余分な光の反射が抑制され、画像への影響がなくなる。
【００１２】
【発明の実施の形態】
以下、本発明の実施の形態について、図面を参照して詳細に説明する。
【００１３】
図１は、本発明の一実施の形態に係る投影用スクリーン１０の一部の断面構成を表すものである。この投影用スクリーン１０はいわゆる反射方式のスクリーンであり、基板として黒色基板１１を備えている。黒色基板１１の上には、帯域フィルタとしての機能を有する三原色光選別層として三原色光反射層１２が形成されている。この三原色光反射層１２の上には光拡散層１３が形成されている。この光拡散層１３の上には、投影光以外の光に対して反射特性を有する反射防止層１４が形成されている。
【００１４】
黒色基板１１は、例えば黒色塗料等を含んだ高分子材料から構成されている。高分子材料としては、例えばポリカーボネイト（ＰＣ），ポリエチレンテレフタレート（ＰＥＴ），ポリエチレンナフタレート（ＰＥＮ），ポリエーテルサルフォン（ＰＥＳ），ポリオレフィン（ＰＯ）が挙げられる。この黒色基板１１は、三原色光反射層１２を透過した光を吸収する光吸収層としての機能を有しており、これによってスクリーンの黒レベルが高められ明暗のコントラストが向上する。
【００１５】
三原色光反射層１２は、例えば赤色、緑色および青色の各色の波長領域の光からなる三原色波長域光に対して高反射特性を有すると共に、この三原色波長域光の波長領域以外の少なくとも可視波長域の光に対して高透過特性を有する。具体的には、三原色光反射層１２は、波長が６４２ｎｍ程度である赤色光、波長が５３２ｎｍ程度である緑色光、および波長が４５７ｎｍ程度である青色光のそれぞれに対して高反射特性を有する（図２）。なお、三原色波長域光の各色光の波長は、本実施の形態に適用されるプロジェクタ装置２０（図４）の光源（レーザ発振器２１）から投影光として出射される各色のレーザ光の波長である。
【００１６】
この三原色光反射層１２は、例えば、高い屈折率を有する誘電体材料からなる高屈折率膜１２Ｈｐ　と、この高屈折率膜１２Ｈｐ　よりも低い屈折率を有する誘電体材料からなる低屈折率膜１２Ｌｑ　とが交互に積層された誘電体多層膜であり（但し、ｐは１〜ｍ＋１の正数、ｑは１〜ｍの正数）、この誘電体多層膜の各膜の厚さは例えば８０ｎｍ以上２００ｎｍ以下である。高屈折率膜１２Ｈｐ　の誘電体材料としては例えば五酸化ニオブ（Ｎｂ２　Ｏ５　）、二酸化チタン（ＴｉＯ２　）あるいは五酸化タンタル（Ｔａ２　Ｏ５　）、低屈折率膜１２Ｌｑ　の誘電体材料としては例えば二酸化シリコン（ＳｉＯ２　）あるいはフッ化マグネシウム（ＭｇＦ２　）が挙げられる。
【００１７】
光拡散層１３は、三原色光反射層１２で反射された三原色波長域光を散乱させるものであり、例えばマイクロレンズアレー（ＭＬＡ）が形成されたフィルムである。このような光拡散層１３によって、視野角が大きくなり良い視野特性が得られる。なお、光拡散層１３の材料として、上記フィルムに加えて、例えば直径が数μｍ〜数ｍｍ程度の球状の複数のビーズが等間隔に配列されたものや、所定の媒質中に例えば銀（Ａｇ）や銅（Ｃｕ）等の金属微粒子が分散されたものでもよい。上記ビーズは例えばガラスや高分子材料等の透明な材料からなる。
【００１８】
反射防止層１４は、外光の反射を防止するものであり、三原色の波長領域を含む特定波長域の光に対して低反射特性を有する。具体的には、図３に示したように、レーザ発振器２１から投影光として出射される各色のレーザ光の波長を含む、４５０ｎｍ以上６５０ｎｍ以下の範囲内の波長領域の光に対して反射率が０．５％以下である。
【００１９】
このような特性を有する反射防止層１４は、例えば、高い屈折率を有する無機材料からなる高屈折率膜１４Ｈｒ　と、この高屈折率膜１４Ｈｒ　よりも低い屈折率を有する無機材料からなる低屈折率膜１４Ｌｒ　とが交互に積層された多層膜である（但し、ｒは１〜ｎの正数）。すなわち、高屈折率膜１４Ｈ１　，　低屈折率膜１４Ｌ１　，　高屈折率膜１４Ｈ２　，　低屈折率膜１４Ｌ２，・・・・，　高屈折率膜１４Ｈｎ　，　低屈折率膜１４Ｌｎ　が順次積層されたものである。高屈折率膜１４Ｈｒ　の無機材料としては例えば五酸化ニオブ（Ｎｂ２　Ｏ５　）、二酸化チタン（ＴｉＯ２　）あるいは五酸化タンタル（Ｔａ２　Ｏ５　）、低屈折率膜１４Ｌｒ　の無機材料としては例えば二酸化シリコン（ＳｉＯ２　）あるいはフッ化マグネシウム（ＭｇＦ２　）が挙げられる。
【００２０】
ここで、反射防止層１４の各膜厚は、その各膜の厚さをｄ、その各膜の屈折率をｎ、この光学多層膜に入射する入射光の波長をλとすると、各膜の光学的厚さｎｄが入射光の波長λに対して数１に示した式を満足するように設計されている。
【００２１】
【数１】
ｎｄ＝λ（α±１／４）（但し、αは自然数である）
【００２２】
例えば、高屈折率膜膜１４Ｈ１　にはＮｂ２　Ｏ５　、低屈折率膜１４Ｌ１　にはＳｉＯ２　、高屈折率膜１４Ｈ２　にはＮｂ２　Ｏ５　、低屈折率膜１４Ｌ２　にはＳｉＯ２　が用いられ、合計層数が計４層とされ、赤色光の波長が６４２ｎｍ、緑色光の波長が５３２ｎｍ、および青色光の波長が４５７ｎｍである三原色波長域光を含む、４５０ｎｍ以上６５０ｎｍ以下の範囲内の波長領域において、反射率が０．５％以下という低反射特性を有するように設計されている。このように設計したことにより、各層の厚さは、高屈折率膜膜１４Ｈ１　が１４ｎｍ、低屈折率膜１４Ｌ１　が２３ｎｍ、高屈折率膜１４Ｈが１２３ｎｍ、低屈折率膜１４Ｌ２　が９０ｎｍとなっている。
【００２３】
このように構成される反射防止層１４により、この反射防止層１４の表面に投影光以外の余分な光（例えば照明器具の光や外光）が入射したときに、これら余分な光の反射が抑制される。
【００２４】
次に、このような構成を有する投影用スクリーン１０の製造方法について説明する。まず、黒色塗料を含ませた高分子材料からなる黒色基板１１を用意する。次に、例えばスパッタリング法によって、黒色基板１１の上に三原色光反射層１２を形成する。この三原色光反射層１２は誘電体多層膜とし、この誘電体多層膜を高屈折率膜１２Ｈｐ　と、この高屈折率膜１２Ｈｐ　より低い屈折率を有する低屈折率膜１２Ｌｑ　とを交互に積層したものとする。このような三原色光反射層１２の各膜厚は、この三原色光反射層１２が三原色波長域光に対して高反射特性を有すると共に、この三原色波長域光の波長領域以外の少なくとも可視波長域の光に対して高透過特性を有するように設計する。
【００２５】
続いて、三原色光反射層１２の上に、ＭＬＡが形成されたフィルムを貼り合わせることにより光拡散層１３を形成する。最後に、例えばスパッタリング法または蒸着法によって、光拡散層１３の上に、高屈折率膜１４Ｈｒ　と低屈折率膜１４Ｈｒ　とを交互に積層して反射防止層１４を形成する。この反射防止層１４の各膜厚は、前述のように赤色、緑色および青色の各色の波長領域の光からなる三原色波長域光を含む、４５０ｎｍ以上６５０ｎｍ以下の範囲内の波長領域において、反射率が０．５％以下という低反射特性を有するように設計する。
【００２６】
反射防止層１４は、具体的には、Ｎｂ２　Ｏ５　からなる高屈折率膜１４Ｈ１　、ＳｉＯ２　からなる低屈折率膜１４Ｌ１　、Ｎｂ２　Ｏ５　からなる高屈折率膜１４Ｈ２　、ＳｉＯ２　からなる低屈折率膜１４Ｌ２　の４層構造とし、各層の厚さを、高屈折率膜１４Ｈ１　を１４ｎｍ、低屈折率膜１４Ｌ１　を２３ｎｍ、高屈折率膜１４Ｈ２　を１２３ｎｍ、低屈折率膜１４Ｌ２　を９０ｎｍとする。これにより、赤色光の波長が６４２ｎｍ、緑色光の波長が５３２ｎｍ、および青色光の波長が４５７ｎｍである三原色波長域を含む、４５０ｎｍ以上６５０ｎｍ以下の範囲内の波長領域において、反射率が０．５％以下という低反射特性を有するようになる（図３）。以上により図１に示した投影用スクリーン１０が完成する。
【００２７】
このような構成を有する投影用スクリーン１０は、例えばフロント式のプロジェクタ装置２０のスクリーンとして用いられる。図４は、このプロジェクタ装置２０の概略構成を表すものである。プロジェクタ装置２０は、光源として三原色の各色の波長領域からなる三原色狭帯域光を出射するレーザ発振器２１を備えている。レーザ発振器２１は、例えば波長が６４２ｎｍである赤色光を出射するレーザ発振器２１Ｒ、波長が５３２ｎｍである緑色光を出射するレーザ発振器２１Ｇ、波長が４５７ｎｍである青色光を出射するレーザ発振器２１Ｂから構成されている。
【００２８】
また、プロジェクタ装置２０は、レーザ発振器２１から出射された光を画像光として投影用スクリーン１０に導くための照明光学系として、コリメータレンズ２２、シリンドリカルレンズ２３、ＧＬＶ２４、体積型ホログラム素子２５、ガルバノミラー２６および投影レンズ２７を備えている。コリメータレンズ２２は、赤色光用のコリメータレンズ２２Ｒ、緑色光用のコリメータレンズ２２Ｇ、および、青色光用のコリメータレンズ２２Ｂから構成される。ＧＬＶ２４は、赤色光用のリボン列２４Ｒ、緑色光用のリボン列２４Ｇ、および青色光用のリボン列２４Ｂを備えている。体積型ホログラム素子２５は、第１体積型ホログラム素子２５ａおよび第２体積型ホログラム素子２５ｂから構成されている。
【００２９】
なお、プロジェクタ装置２０では、レーザ発振器２１Ｒから出射された赤色光、レーザ発振器２１Ｇから出射された緑色光、レーザ発振器２１Ｂから出射された青色光のそれぞれが、コリメータレンズ２２では各色用のコリメータレンズ２２Ｒ，２２Ｇ，２２Ｂに入射するように、ＧＬＶ２４では各色用のリボン列２４Ｒ，２４Ｇ，２４Ｂに入射するようにこれらの構成要素が配置されている。
【００３０】
このような構成を有するプロジェクタ装置２０では、レーザ発振器２１から出射された赤色光、緑色光および青色光の各光は、コリメータレンズ２２を透過することにより平行光となる。このコリメータレンズ２２により平行光となった三原色波長域光は、シリンドリカルレンズ２３の作用によりＧＬＶ２４に集光される。これら集光した三原色波長域光は、ＧＬＶ２４の各リボン列が画像信号に応じて独立に駆動されることによって空間的に変調される。
【００３１】
ＧＬＶ２４の作用により変調された三原色波長域光は、シリンドリカルレンズ２３の作用により体積型ホログラム素子２５に集光される。この体積型ホログラム素子２５では、第１体積型ホログラム素子２５ａにより赤色光が回折され、第２体積型ホログラム素子２５ｂにより青色光および赤色光が同じ方向に回折される。また、第１体積型ホログラム素子２５ａおよび第２体積型ホログラム素子２５ｂでは、緑色光が回折されずに直進して透過し、赤色光と同じ方向に出射される。このようにして体積型ホログラム素子２５の作用により、赤色光、緑色光および青色光の各色の光が合成されて、同じ方向に出射される。同じ方向に合波された三原色波長域光は、ガルバノミラー２６により所定の方向に走査され、投影レンズ２７を介して投影用スクリーン１０の表面に投射される。
【００３２】
投影用スクリーン１０では、例えば外光により映写環境が明るい場合、プロジェクタ装置２０から投射された三原色波長域光とともに外光が、スクリーンの表面に設けられた反射防止層１４に入射する。この反射防止層１４は、図３に示したような反射特性を有するので、この反射防止層１３により三原色波長域光以外の外光の反射が抑制されると共に、三原色波長域光が透過する。
【００３３】
このように反射防止層１４を透過した三原色波長域光は、光拡散層１３を透過し、三原色光反射層１２に入射する。この三原色光反射層１２では、図２に示したような反射特性を有するので、三原色波長域光のみが反射し、その他の光は黒色基板１１に吸収される。このように三原色光反射層１２で反射した三原色波長域光は、光拡散層１３に再び入射する。この光拡散層１３では、三原色光反射層１２で反射された三原色波長域光が散乱され、スクリーンの前面に画像が形成される。このとき、上述したように反射防止層１４によりスクリーンの表面に入射した外光の反射を抑制されていることから、スクリーンの前面に形成された画像には、外光が混入することが殆どなくなる。
【００３４】
このように本実施の形態では、スクリーンの表面に反射防止層１４を設けるようにしたので、投影光以外の余分な光が入射したときに、この反射防止層１４によって反射が抑制され、これにより余分な光が画像に混入しなくなる。よって、画像のコントラストが高められ、映写環境に影響されず、鮮明な画像を得ることが可能となる。また、プロジェクタ装置２０のレーザ発振器２１から出射される各色のレーザ光の輝度を抑えても、鮮明な画像を得ることが可能になり、これにより省電力化を図ることが可能となる。
【００３５】
以上、実施の形態を挙げて本発明を説明したが、本発明は上記実施の形態に限定されるものではなく、種々変形が可能である。例えば、上記実施の形態では、本発明を反射式の投影用スクリーン１０に適用するようにしたが、透過方式の投影用スクリーン３０（図５）に適用するようにしてもよい。すなわち、黒色基板１１の代わりに透明基板３１を用い、三原色光選別層として三原色光反射層１２の代わりに三原色光透過層３２を用いるようにする。この三原色光透過層３２は、例えば図６に示したように、三原色波長域光に対して高透過特性を有すると共に、この三原色波長域光の波長領域以外の少なくとも可視波長域の光に対して高反射特性を有する。具体的には、波長が６４２ｎｍ程度である赤色光、波長が５３２ｎｍ程度である緑色光、および波長が４５７ｎｍ程度である青色光のそれぞれに対して高透過特性を有する。このような構成を有する投影用スクリーン３０は透明基板３１の裏面側から投影光を入射させる、リア式のプロジェクタ装置のスクリーンとして用いられる。
【００３６】
また、上記実施の形態では、スパッタリング法または蒸着法により反射防止層１４を形成するようにしたが、図７に示した投影用スクリーン４０のように、反射防止層１４を予め例えば、反射防止層１４を支持するための支持基材４１の上に形成し、この支持基材４１を接着剤を介して貼り付けることにより反射防止層１４を形成するようにしてもよい。
【００３７】
更に、上記実施の形態では、反射防止層１４の材料として無機材料を用いるようにしたが、有機材料を用いるようにしてもよい。この場合、グラビアコーティング法等の塗布法を用いて反射防止層１４を形成する。
【００３８】
【発明の効果】
以上説明したように本発明の投影用スクリーンおよびその製造方法によれば、拡散層の表面に反射防止層を設けるようにしたので、投影光以外の余分な光が入射してもその反射が抑制され、余分な光の画像への混入を防止できる。これにより画像のコントラストが高められ、映写環境に影響されず、鮮明な画像を得ることが可能となる。また、プロジェクタ装置の光源から出射される投影光の輝度を抑えても、鮮明な画像を得ることが可能になり、これによって省電力化を図ることが可能となる。
【図面の簡単な説明】
【図１】本発明の一実施の形態に係る投影用スクリーンの概略構成図である。
【図２】図１に示した投影用スクリーンを構成する三原色光反射層の反射特性を表すものである。
【図３】図１に示した投影用スクリーンを構成する反射防止層の反射特性を表すものである。
【図４】図１に示した投影用スクリーンを用いたプロジェクタ装置の概略構成図である。
【図５】投影用スクリーン変形例の概略構成図である。
【図６】図１に示した投影用スクリーンを構成する三原色透過層の反射特性を表すものである。
【図７】投影用スクリーンの変形例の概略構成図である。
【符号の説明】
１０，３０，　４０・・・　投影用スクリーン、１１・・・　黒色基板、１２・・・　三原色光反射層、１２Ｈｐ　，１４Ｈｒ　・・・　高屈折率膜、１２Ｌｑ　，１４Ｌｒ　・・・　低屈折率膜、１３・・・　光拡散層、１４・・・　反射防止層、２０・・・　プロジェクタ装置、２１，２１Ｒ，２１Ｇ，２１Ｂ・・・　レーザ発振器、２２，２２Ｒ，２２Ｇ，２２Ｂ・・・　コリメータレンズ、２３・・・　シリンドリカルレンズ、２４・・・　ＧＬＶ、２４Ｒ，２４Ｇ，２４Ｂ・・・　リボン列、２５・・・　体積型ホログラム素子、２５ａ・・・　第１体積型ホログラム素子、２５ｂ・・・　第２体積型ホログラム素子、２６・・・　ガルバノミラー、２７・・・　投影レンズ、３１・・・　透明基板、３２・・・　三原色光透過層、４１・・・　支持基材
【図１】
2004144883.tif 000003
【図２】
2004144883.tif 000004
【図３】
2004144883.tif 000005
【図４】
2004144883.tif 000006
【図５】
2004144883.tif 000007
【図６】
2004144883.tif 000008
【図７】
2004144883.tif 000009